(57)【要約】【課題】余白領域に付加された情報のうち、重要情報を強調し、重要情報を目立ちやすくする。【解決手段】画像処理装置は、データ入力部、操作パネル、記憶部、制御部を含む。データ入力部は、ジョブに用いるジョブ用データの入力を受ける。操作パネルは、ページのうち、書類内の予め定められた余白領域に配される余白画像の登録と、余白画像内における強調領域の設定を受け付ける。記憶部は、登録された余白画像である登録余白画像と登録余白画像における強調領域の位置を示す位置データを含む強調用データを記憶する。制御部は、ジョブ用データに基づくページの画像データであるページ画像データに登録余白画像が含まれるか否かを判定し、記憶された強調用データに含まれる登録余白画像における強調領域の位置と、ページ画像データに含まれる登録余白画像において同じ位置にある対応領域の画像に強調処理を施す。【選択図】図４
2018016007.tif 000002
【特許請求の範囲】
【請求項１】
ジョブに用いるジョブ用データの入力を受けるデータ入力部と、
ページのうち、書類内の予め定められた余白領域に配される余白画像の登録と、前記余白画像内における強調領域の設定を受け付ける操作パネルと、
登録された前記余白画像である登録余白画像と前記登録余白画像における前記強調領域の位置を示す位置データを含む強調用データを記憶する記憶部と、
前記ジョブ用データに基づくページの画像データであるページ画像データに前記登録余白画像が含まれるか否かを判定し、前記ページ画像データに前記登録余白画像が含まれると判定したとき、前記ページ画像データのうち、記憶された前記強調用データに含まれる前記登録余白画像における前記強調領域の位置と前記ページ画像データに含まれる前記登録余白画像において同じ位置にある対応領域の画像に強調処理を施す制御部と、を含むことを特徴とする画像処理装置。
【請求項２】
前記余白画像は、ヘッダー画像又はフッター画像であり、
前記記憶部は、前記登録余白画像として登録された前記ヘッダー画像である登録ヘッダー画像と、前記位置データを含むヘッダー強調用データと、前記登録余白画像として登録された前記フッター画像である登録フッター画像と前記位置データを含むフッター強調用データと、を前記強調用データとして記憶することを特徴とする請求項１に記載の画像処理装置。
【請求項３】
前記制御部は、前記ページ画像データに前記登録ヘッダー画像が含まれているとき、前記ページ画像データの前記フッター領域に前記対応領域の画像を入れ、前記ページ画像データに前記登録フッター画像が含まれているとき、前記ページ画像データの前記ヘッダー領域に前記対応領域の画像を入れることを特徴とする請求項２に記載の画像処理装置。
【請求項４】
前記制御部は、前記ページ画像データに前記登録ヘッダー画像が含まれているとき、前記ページ画像データの前記ヘッダー領域のうち、前記対応領域以外の部分を消すとともに前記対応領域を拡大した画像を前記ヘッダー領域に配し、前記ページ画像データに前記登録フッター画像が含まれているとき、前記ページ画像データの前記フッター領域のうち、前記対応領域以外の部分を消すとともに前記対応領域を拡大した画像を前記フッター領域に配することを特徴とする請求項２又は３に記載の画像処理装置。
【請求項５】
前記制御部は、ジョブの最後のページの前記ページ画像データ内であって前記余白領域以外の領域内の空白領域に前記ジョブに含まれる何れかのページの前記対応領域の画像を入れることを特徴とする請求項１乃至３の何れか１項に記載の画像処理装置。
【請求項６】
前記制御部は、下線、囲線、前記対応領域に含まれる記号の色を変えることの何れか１つ又は複数を前記強調処理として行うことを特徴とする請求項１乃至５の何れか１項に記載の画像処理装置。
【請求項７】
前記制御部は、これから行うジョブのそれぞれの前記ページ画像データに同じ色で前記強調処理を施すとともに、これから行う前記ジョブの前記ページ画像データに含まれると判定された前記登録余白画像が、以前に実行されたジョブの前記ページ画像データに含まれると判定された利用済登録余白画像であるか否かを確認し、前記利用済登録余白画像のとき、少なくとも直前の前記利用済登録余白画像を含むジョブとこれから行う前記ジョブで強調に用いる色を異ならせることを特徴とする請求項１乃至６の何れか１項に記載の画像処理装置。
【請求項８】
請求項１〜７の何れか１項に記載の画像処理装置と、前記強調処理後の画像データに基づき印刷ジョブを行う印刷部を含むことを特徴とする画像形成装置。
【発明の詳細な説明】
【技術分野】
【０００１】
本発明は、画像データの処理を行う画像処理装置、及び、画像処理装置を含む画像形成装置に関する。
【背景技術】
【０００２】
プリンター、複合機、複写機、ファクシミリ装置のような画像形成装置では、１つの排出先（排出トレイ）に複数の印刷ジョブの印刷物が積まれる場合ある。この場合、他人の印刷物と自己の印刷物を仕分けることが必要である。特許文献１には、印刷物の仕分けに関する技術の一例が記載されている。
【０００３】
特許文献１には、受信画像データを蓄積し、受信した画情報中で指定された通常解像度印刷時出力色を取り出して設定し、受信した画情報中に精細解像度で印刷する精細解像度印刷指定情報が含まれているか否かを検出し、精細解像度印刷指定情報を検出したとき設定された通常解像度印刷時出力色を、画情報中で指定された精細解像度印刷時出力色に設定変更する色仕分け機能付きファクシミリ装置が記載されている。この構成により、出力用紙の仕分け方法を提案するとともに、精細解像度印刷モードで印刷が行なわれたことを容易にユーザに知らせようとする（特許文献１：請求項１、要約、段落［０００４］）。
【先行技術文献】
【特許文献】
【０００４】
【特許文献１】特開２００４−０３２３８２号公報
【発明の概要】
【発明が解決しようとする課題】
【０００５】
ページのヘッダー領域やフッダー領域のような余白領域に文書名や作成者のような情報を付加することがある。余白領域に付加された情報を見れば、書類を仕分けることができる。ここで、余白領域に付す情報のうち、特定の部分を強調したい場合がある。例えば、社内文書に付すヘッダーの形式がある程度決まっており、書類名や書類のバージョンのような、ヘッダーのうち重要な部分が目立ちにくいという問題がある。そのため、これらの重要な部分を強調したい場合がある。そして、強調処理は自動的に行われることが好ましい。
【０００６】
ここで、特許文献１記載の技術では、通常解像度で印刷する受信文書と、精細解像度で印刷する受信文書の出力色を異ならせる。ファクシミリ装置は単色印刷が前提であるので、書類全体の出力色を書類単位で変えることができる。しかし、特許文献１記載の技術を適用すると、必ず単色で印刷される。つまり、特許文献１記載の技術は、カラーの書類印刷に適用できない。また、文書全体の色に基づき普通解像度か精細解像度であるかを見分けることはできるが、書類中の特定の部分のみを強調することはできない。このように、特許文献１記載の技術では、上記問題を十分に解決することはできない。
【０００７】
本発明は、上記問題点を鑑み、余白領域に付加された情報のうち、重要情報を強調し、重要情報を目立ちやすくする。
【課題を解決するための手段】
【０００８】
上記課題達成のため、請求項１に係る画像処理装置は、データ入力部、操作パネル、記憶部、制御部を含む。前記データ入力部は、ジョブに用いるジョブ用データの入力を受ける。前記操作パネルは、ページのうち、書類内の予め定められた余白領域に配される余白画像の登録と、前記余白画像内における強調領域の設定を受け付ける。前記記憶部は、登録された前記余白画像である登録余白画像と前記登録余白画像における前記強調領域の位置を示す位置データを含む強調用データを記憶する。前記制御部は、前記ジョブ用データに基づくページの画像データであるページ画像データに前記登録余白画像が含まれるか否かを判定し、前記ページ画像データに前記登録余白画像が含まれると判定したとき、前記ページ画像データのうち、記憶された前記強調用データに含まれる前記登録余白画像における前記強調領域の位置と前記ページ画像データに含まれる前記登録余白画像において同じ位置にある対応領域の画像に強調処理を施す。
【発明の効果】
【０００９】
本発明によれば、余白領域に付加された情報のうち、重要情報を強調し、重要情報を目立ちやすくすることができる。
【図面の簡単な説明】
【００１０】
【図１】実施形態に係る複合機の一例を示す図である。
【図２】実施形態に係る各画像形成ユニットの一例を示す図である。
【図３】実施形態に係る複合機のジョブ用データの取り扱いを説明するための図である。
【図４】実施形態に係る自動強調モードの一例を示す図である。
【図５】実施形態に係る複合機での強調用データの登録の流れの一例を示すフローチャートである。
【図６】実施形態に係る強調用データ登録画面の一例を示す図である
【図７】実施形態に係る強調処理設定画面の一例を示す図である。
【図８】実施形態に係る自動強調モードでのジョブの処理の流れの一例を示す図である。
【図９】実施形態に係る自動強調モードでのジョブの処理の流れの一例を示す図である。
【図１０】実施形態に係る強調処理の一例を示す図である。
【図１１】実施形態に係る強調処理の一例を示す図である。
【図１２】実施形態に係る強調処理の一例を示す図である。
【発明を実施するための形態】
【００１１】
以下、図１〜図１４を用いて、本発明に係る画像処理装置１０を説明する。画像処理装置１０は、制御部１、記憶部２、データ入力部（画像読取部３ｂ、通信部１３）、操作パネル４を含む。以下の説明では、画像処理装置１０を含む画像形成装置を説明する。画像形成装置として複合機１００を説明する。但し、本実施の形態に記載されている構成、配置等の各要素は、発明の範囲を限定するものではなく単なる説明例にすぎない。
【００１２】
（複合機１００の概要）
まず、図１を用いて実施形態に係る複合機１００の概要を説明する。図１は、実施形態に係る複合機１００の一例を示す図である。
【００１３】
複合機１００は、制御部１と記憶部２を含む。制御部１は、装置全体の動作を統括し複合機１００の各部を制御する。制御部１は、演算、制御に関する処理を行うＣＰＵ１１、画像データに関する処理を行う画像処理部１２を含む。例えば、画像処理部１２は、画像処理専用に設計されたＡＳＩＣである。画像処理部１２は、印刷に必要な画像処理を画像データに施す。記憶部２はＲＯＭ、ＲＡＭ、ＨＤＤのような記憶装置を含み、制御用プログラムや各種データを記憶する。
【００１４】
又、制御部１は、原稿搬送部３ａ、画像読取部３ｂ（データ入力部に相当）を制御する。制御部１は、セットされた原稿を読み取り位置に向けて原稿搬送部３ａに搬送させる。制御部１は、原稿搬送部３ａに搬送される原稿や、原稿台（コンタクトガラス、不図示）にセットされた原稿を画像読取部３ｂに読み取らせ、画像データを生成する。制御部１は、原稿搬送部３ａと画像読取部３ｂの動作を制御する。
【００１５】
制御部１は、操作パネル４と接続される。操作パネル４は、表示パネル４１、タッチパネル４２、ハードキー４３を含む。制御部１は表示パネル４１の表示を制御する。制御部１は、設定画面、複合機１００の状態、メッセージのような情報を表示パネル４１に表示させる。制御部１は、タッチパネル４２の出力に基づき、表示パネル４１に表示されたソフトキーやボタンのような操作画像のうち、操作された操作画像を認識する。また、制御部１は、操作されたハードキー４３を認識する。そして、制御部１は操作された操作画像やハードキー４３に応じた画面への切替を表示パネル４１に行わせる。また、制御部１は、操作パネル４でなされた設定操作の内容を認識し、設定どおりに動作するように複合機１００を制御する。
【００１６】
複合機１００は、印刷部５を含む。印刷部５は、給紙部５ａ、搬送部５ｂ、画像形成部５ｃ、中間転写部５ｄ、定着部５ｅを含む。制御部１は、印刷ジョブのとき用紙を一枚ずつ給紙部５ａに供給させる。制御部１は、用紙を画像形成部５ｃ、定着部５ｅを経て排出トレイ（不図示）まで搬送部５ｂに搬送させる。制御部１は、搬送部５ｂより搬送される用紙にのせるトナー像を画像形成部５ｃに形成させる。また、制御部１は、画像形成部５ｃで形成されたトナー像の一次転写を中間転写部５ｄに受けさせ、トナー像の用紙への二次転写を中間転写部５ｄに行わせる。制御部１は、トナー像が転写された用紙を定着部５ｅに加熱、加圧させる。これにより、用紙にトナー像が定着する。搬送部５ｂは、印刷済用紙を排出トレイに排出する。
【００１７】
又、複合機１００は通信部１３（データ入力部に相当）を含む。通信部１３は、ＰＣやサーバーのようなコンピューター２００と通信するためのインターフェイスである。尚、通信部１３とコンピューター２００はＵＳＢケーブルなどにより直接的に通信可能に接続されてもよい。通信部１３は、コンピューター２００からデータを受信する。
【００１８】
（画像形成部５ｃでのカラー印刷）
次に、図１、図２を用いて、実施形態に係る複合機１００でのカラー印刷の一例を説明する。図２は、実施形態に係る各画像形成ユニット５１の一例を示す図である。
【００１９】
印刷部５は、カラー印刷を行える。カラー印刷のため、画像形成部５ｃは、４色分の画像形成ユニット５１Ｂｋ（ブラック）、５１Ｙ（イエロー）、５１Ｃ（シアン）、５１Ｍ（マゼンタ）を含む。また、画像形成部５ｃは、露光装置５２も含む（図１参照）。各画像形成ユニット５１Ｂｋ〜５１Ｍは形成するトナー像の色が異なるが、いずれも同様の構成である。そこで、以下ではブラック用の画像形成ユニット５１Ｂｋを例に挙げて説明する。他の画像形成ユニット５１も同様に説明にでき、以下の説明では色を示すＢｋ、Ｙ、Ｃ、Ｍの符号は特に説明する場合を除き省略する。
【００２０】
図２に示すように、各画像形成ユニット５１は、感光体ドラム５３、帯電装置５４、現像装置５５、クリーニング装置５６を含む。感光体ドラム５３は、所定の周速で回転する。帯電装置５４は、感光体ドラム５３の表面を一定電位で帯電させる。露光装置５２は、画像データをカラー色分解した画像信号に基づいた光信号（レーザー光、図２で破線で図示）で帯電後の感光体ドラム５３の走査露光を行う。これにより、感光体ドラム５３の周面に画像データに併せた静電潜像が形成される。各現像装置５５は、ブラック、イエロー、シアン、マゼンタの何れかの色のトナーを収容する。現像装置５５は、対応する感光体ドラム５３の静電潜像をトナーで現像する。現像により生成されたトナー像は、中間転写部５ｄの中間転写ベルト５７に一次転写される。中間転写部５ｄは、中間転写ベルト５７のトナー像を用紙に２次転写する。クリーニング装置５６は、感光体ドラム５３の表面を擦って残トナーを除去する。
【００２１】
（ジョブ用データＤ１）
次に、図３を用いて、実施形態に係る複合機１００でのジョブ用データＤ１の取り扱いを説明する。図３は、実施形態に係る複合機１００でのジョブ用データＤ１の取り扱いを説明するための図である。
【００２２】
複合機１００では、コピージョブ、送信ジョブ、プリントジョブ、ボックス印刷ジョブなどを行うことができる。印刷を伴うジョブは、コピージョブ、プリントジョブ、ボックス印刷ジョブである。コピージョブは、画像読取部３ｂが原稿を読み取って生成した画像データに基づき印刷を行うジョブである。送信ジョブは、画像読取部３ｂが原稿を読み取って生成した画像データに基づき送信するジョブである。送信先は、ファクシミリ装置３００（図１参照）やコンピューター２００である。プリントジョブは、コンピューター２００から送信されたデータに基づき印刷を行うジョブである。ボックス印刷ジョブは、記憶部２に記憶されたデータに基づき印刷を行うジョブである。ジョブ用データＤ１は、これらのジョブに利用されるデータである。
【００２３】
コピージョブでは、画像読取部３ｂが原稿を読み取って生成された原稿の画像データがジョブ用データＤ１である。制御部１は、画像読取部３ｂが生成した画像データをジョブ用データＤ１として記憶部２に一時的に記憶させる。画像処理部１２は、操作パネル４でのコピーに関する設定に応じた画像処理を画像データに施す。画像処理後の画像データは露光装置５２に送信される。制御部１は、画像データに基づきコピージョブ（印刷）を印刷部５に行わせる。
【００２４】
送信ジョブでは、画像読取部３ｂが原稿を読み取って生成した原稿の画像データがジョブ用データＤ１である。通信部１３がコンピューター２００から受信したデータをジョブ用データＤ１としてもよい。制御部１は、送信する画像データをジョブ用データＤ１として記憶部２に一時的に記憶させる。画像処理部１２は、操作パネル４での送信に関する設定に応じた画像処理を画像データに施す。制御部１は、設定された宛先に向けて、画像処理後の画像データを通信部１３に送信させる。
【００２５】
プリントジョブでは、通信部１３がコンピューター２００から受信したデータがジョブ用データＤ１である。通信部１３は、コンピューター２００で印刷が指示されたファイルのファイル名（名前）、ファイルの内容をページ記述言語で記述したデータ、画像データ、コンピューター２００のプリンタードライバーソフトウェアで設定された設定内容を示すデータを受信する。制御部１は、通信部１３が受信したジョブ用データＤ１を記憶部２に記憶させる。画像処理部１２は、ページ記述言語で記述されたデータや画像データを解析し、解析結果に基づき各ページの画像データを生成し、コンピューター２００でなされた設定に応じた画像処理を画像データに施す。制御部１は、画像データに基づきプリントジョブ（印刷）を印刷部５に行わせる。
【００２６】
ボックス印刷ジョブでは、記憶部２に設けられたボックス領域に不揮発的に記憶された画像データ（ボックス保存データ）がジョブ用データＤ１である。画像読取部３ｂが原稿を読み取って生成した画像データや、通信部１３が受信した画像データがボックス保存データとして記憶部２のボックス領域に不揮発的に記憶される。ボックス印刷ジョブはボックス保存データを好きなときに再利用するジョブといえる。操作パネル４は、利用するボックス保存データの選択を受け付ける。画像処理部１２は、操作パネル４でのボックス印刷ジョブに関する設定に応じた画像処理を、選択されたボックス保存データＤ１に施す。制御部１は、画像データに基づきボックス印刷ジョブ（印刷）を印刷部５に行わせる。
【００２７】
このように、画像読取部３ｂ、通信部１３は、コピージョブ、送信ジョブ、プリントジョブ、ボックス印刷ジョブのようなジョブに用いるジョブ用データＤ１を画像処理装置１０（複合機１００）に入力するデータ入力部として機能する。印刷部５は、入力されたジョブ用データＤ１（画像データ）に基づき、指示されたジョブを実行する。
【００２８】
（自動強調モード）
次に、図４を用いて、実施形態に係る複合機１００が搭載する自動強調モードの概要を説明する。図４は、実施形態に係る自動強調モードの一例を示す図である。
【００２９】
ジョブに含まれる各ページには、余白領域６が設けられることがある。余白領域６はヘッダー領域６ｈやフッター領域６ｆである。ヘッダー領域６ｈは、書類の上端辺からページの先頭行までの間に設けられる。例えば、書類の上端辺から下側の一定幅の帯状（短冊状）の領域がヘッダー領域６ｈと扱われる。フッター領域６ｆは、書類の下端辺からページの最終行までの間に設けられる。例えば、書類の下端辺からページの上側の一定幅の帯状（短冊状）の領域がフッター領域６ｆと扱われる。通常、ヘッダー領域６ｈとフッター領域６ｆの位置や幅は、ワープロソフトや表計算ソフトのような書類作成に用いるソフトウェアで設定することができる。
【００３０】
画像データのうち、このような余白領域６の画像が余白画像７である。余白領域６に配される余白画像７は、例えば、会社名、書類名、書類のバージョン、作成日のような情報（文字、数字、マーク、記号）を含む。余白画像７には、機密書類であることを示す文字や社章のような図形を含むこともある。ヘッダー領域６ｈの画像（余白画像７）がヘッダー画像７ｈである。フッター領域６ｆの画像（余白画像７）がフッター画像７ｆである。通常、使用者は、書類作成に用いるソフトウェア上で、余白領域６に情報を挿入する操作を行う。
【００３１】
そして、複合機１００では、操作パネル４で所定の操作を行うことにより、複合機１００を自動強調モードとすることができる。言い換えると、操作パネル４は、自動強調モードでジョブを実行する設定を受け付ける。
【００３２】
自動強調モードの処理のため、強調用データ２１が予め記憶部２に登録される（図１、図３参照）。強調用データ２１は、登録された余白画像７（登録余白画像８）と、登録余白画像８のうち強調領域Ｆ１の位置を示す位置データ２２を含む（図３参照）。そして、自動強調モードでジョブを行ったとき、制御部１（画像処理部１２）は、ジョブ用データＤ１に基づくページの画像データであるページ画像データＰのうち、登録余白画像８と同一又は類似する余白領域６（余白画像７）を含むページ（マッチングするページ）を判定する。続いて、制御部１は、マッチングしたページ画像データＰに画像処理を行う。具体的に、制御部１は、マッチングしたページ画像データＰのうち登録余白画像８で設定された強調領域Ｆ１と同様の情報を含む領域（対応領域Ｆ２）を強調する画像処理を行う。
【００３３】
図４は、ヘッダー領域６ｈに４つの枠を含むヘッダー画像７ｈが配されたページの一例を示す。図４のヘッダー画像７ｈでは、左上の枠に書類名を示す「ＫＭ１１１１マニュアル」が、右上の枠に会社名を示す「ＫＹＯＣＥＲＡ」が、左下の枠にセキュリティレベルを示す「社外秘」が、右下の枠に発行日を示す「２０１６／ＸＸ／ＹＹ発行」が配されている。このヘッダー画像７ｈと同じ又は同様の画像が、登録ヘッダー画像８ｈとして予め登録されている。
【００３４】
図４の左側の図は、強調前の状態の一例を示す。図４の右側の図は、自動強調モードにてジョブを実行した結果の一例を示す。自動強調モードでのジョブの実行の結果、ヘッダー画像７ｈのうち、「ＫＭ１１１１マニュアル」の部分と、「２０１６／ＸＸ／ＹＹ」の数字と記号の部分に下線を付す強調がなされた例を示している。なお、下線の色は、黒色に限られない。強調に用いる色は、印刷ジョブごとに変わってもよい。
【００３５】
（強調用データ２１の登録）
次に、図５、図６を用いて、実施形態に係る複合機１００での強調用データ２１の登録の流れの一例を説明する。図５は、実施形態に係る複合機１００での強調用データ２１の登録の流れの一例を示すフローチャートである。図６は、実施形態に係る強調用データ登録画面Ｓ１の一例を示す図である。
【００３６】
図５のスタートは、強調用データ２１の登録を行うための所定の操作が操作パネル４（タッチパネル４２やハードキー４３）になされた時点である。この操作がなされたとき、制御部１は、強調用データ登録画面Ｓ１を表示パネル４１に表示させる（ステップ♯１１）。図５に示すように、強調用データ登録画面Ｓ１には、取得キーＫ１、ヘッダーキーＫ２、フッターキーＫ３、登録キーＫ４、強調領域設定画面Ｓ２が設けられる。
【００３７】
登録しようとする余白画像７を含むデータの取得がなされる（ステップ♯１２）。データの取得を行うとき、取得キーＫ１が操作される。例えば、スキャンによりデータの取得がなされる。この場合、登録しようとする余白画像７が印刷された印刷物を用意する。印刷物を画像読取部３ｂが読み取り、余白画像７を含む印刷物の画像データが取得される。また、コンピューター２００から送信されたデータに基づき、余白画像７を含むデータの取得がなされてもよい。
【００３８】
そして、制御部１は、取得したデータ（画像データ）のプレビュー画像ｉ１を強調領域設定画面Ｓ２に表示させる（ステップ♯１３）。図６は、取得したデータのプレビュー画像ｉ１の一例を示す。操作パネル４は、登録しようとする余白画像７に関する設定（位置、サイズ）、及び、登録しようとする余白画像７内の強調したい領域（強調領域Ｆ１）の設定を受け付ける（ステップ♯１４）。
【００３９】
使用者は、ヘッダーキーＫ２とフッターキーＫ３を操作して登録する余白画像７がヘッダー画像７ｈであるか、フッター画像７ｆであるかを選択できる。登録しようとする余白画像７がヘッダー画像７ｈのとき、ヘッダーキーＫ２を操作する。登録しようとする余白画像７がフッター画像７ｆのとき、フッターキーＫ３を操作する。図６は、ヘッダーキーＫ２が操作された状態の一例を示す。制御部１は、操作されたキーに基づき、登録する余白画像７の位置（ヘッダーかフッターか）を認識する。
【００４０】
また、使用者は、操作パネル４にて登録する余白画像７のサイズを設定できる。図６では、使用者は、プレビュー画像ｉ１に配された左右方向にのびる破線をドラッグし、上下させることにより余白画像７のサイズ（範囲）を設定できる。ヘッダー画像７ｈであれば、制御部１は、ページの上端辺から破線までの範囲の画像データを登録余白画像８（登録ヘッダー画像８ｈ）として記憶部２に記憶させる。フッター画像７ｆであれば、制御部１は、ページの下端辺から破線までの範囲の画像データを登録余白画像８（登録フッター画像８ｆ）として記憶部２に記憶させる。
【００４１】
なお、操作パネル４は、ソフトウェアキーボードやハードキー４３にて、余白画像７のサイズを指定する数値入力を受け付けてもよい。この場合、制御部１は、入力された数値に基づき余白画像７のサイズを認識する。
【００４２】
また、使用者は、操作パネル４にて強調領域Ｆ１を設定できる。例えば、プレビュー画像ｉ１に含まれる余白画像７のうち、強調したい部分をなぞる操作により強調領域Ｆ１を設定できるようにしてもよい。この場合、制御部１は、タッチパネル４２の出力に基づき、タッチされた位置からタッチの指が離れるまでの軌跡を中心とした一定幅の領域を強調領域Ｆ１と認識する。例えば、左右になぞることで、横方向で帯状に強調領域Ｆ１が指定される。図６では、設定された強調領域Ｆ１を網掛けで示している。また、図６では、「ＫＭ１１１１マニュアル」の部分を強調領域Ｆ１に設定し、さらに、使用者が「２０１６／ＸＸ／ＹＹ」の部分を左端から右端までなぞろうとしている状態を示している。
【００４３】
また、強調したい部分を囲う操作により、強調領域Ｆ１を設定できるようにしてもよい。この場合、制御部１は、タッチパネル４２の出力に基づき、タッチされた位置からタッチの指が離れるまでの軌跡内の領域を強調領域Ｆ１と認識する。
【００４４】
余白画像７のサイズや、強調領域Ｆ１の範囲を細かく設定できるようにするため、プレビュー画像ｉ１の拡大、縮小が可能である。タッチパネル４２にピンチアウト操作のようなプレビュー画像ｉ１の拡大を指示する操作がなされたとき、又は、ピンチイン操作のようなプレビュー画像ｉ１の縮小を指示する操作がなされたとき、制御部１（画像データ）は、取得したデータに基づき、指示に応じた倍率の新たなプレビュー用画像データを生成し、生成したプレビュー用画像データに基づくプレビュー画像ｉ１を強調領域設定画面Ｓ２内に表示させる。なお、拡大キーや縮小キーのようなプレビュー画像ｉ１の拡大、又は、縮小を行うためのキーを別途設けてもよい。また、フリック操作により、プレビュー画像ｉ１のうち強調領域設定画面Ｓ２内に表示する位置を移動させることができる。なお、表示位置の移動のため、スクロールバーを別途設けてもよい。
【００４５】
また、所定の取り消し操作がなされたとき、制御部１は、取り消し操作がなされた強調領域Ｆ１を解除してもよい。どのような操作を取り消し操作するかは、適宜定めることができる。例えば、制御部１は、設定された強調領域Ｆ１の領域内への２回連続タッチを取り消し操作と認識してもよい。
【００４６】
設定が完了したとき、使用者は、登録キーＫ４を操作する。登録キーＫ４が操作されたとき、制御部１は、取得した画像データのうち、設定された範囲の画像データと設定された位置（ヘッダーかフッターか）の余白画像７を登録余白画像８として記憶部２に不揮発的に記憶させる（ステップ♯１５、図３参照）。また、制御部１は、余白画像７に関連付けて、余白画像７のうちの設定された強調領域Ｆ１の位置を示す位置データ２２を記憶部２に不揮発的に記憶させる（ステップ♯１６、図３参照）。これにより、余白画像７と位置データ２２を含む強調用データ２１の登録が完了する（エンド）。
【００４７】
本説明では、登録された余白画像７を登録余白画像８と称する。また、ヘッダーキーＫ２が操作されて登録されたヘッダー画像７ｈを登録ヘッダー画像８ｈと称する。また、登録ヘッダー画像８ｈと登録ヘッダー画像８ｈ内で指定された強調領域Ｆ１の位置を示す位置データ２２を含む強調用データ２１をヘッダー強調用データ２１ｈと称する。フッターキーＫ３が操作されて登録されたフッター画像７ｆを登録フッター画像８ｆと称する。また、登録フッター画像８ｆと登録フッター画像８ｆ内で指定された強調領域Ｆ１の位置を示す位置データ２２を含む強調用データ２１をフッター強調用データ２１ｆと称する（図３参照）。
【００４８】
（自動強調モードでのジョブの処理の流れ）
次に、図７〜図１２に基づき、実施形態に係る自動強調モードでのジョブの処理の流れの一例を説明する。図７は、実施形態に係る強調処理設定画面Ｓ３の一例を示す図である。図８、図９は、実施形態に係る自動強調モードでのジョブの処理の流れの一例を示す図である。図１０〜図１２は、実施形態に係る強調処理の一例を示す図である。
【００４９】
図７は、自動強調モードでの強調処理に関する設定を行うための強調処理設定画面Ｓ３の一例を示す図である。強調処理設定画面Ｓ３を開くための所定の操作が操作パネル４になされたとき、制御部１は、強調処理設定画面Ｓ３を表示パネル４１に表示させる。
【００５０】
複合機１００では、コピージョブ、送信ジョブ、プリントジョブ、ボックス印刷ジョブを行うことができる。これらのジョブを自動強調モードで行うことができる。強調処理設定画面Ｓ３では、どのジョブで自動強調モードを適用するかを設定することができる。言い換えると、対応領域Ｆ２に強調処理を施すジョブの選択を操作パネル４が受け付ける。
【００５１】
強調処理設定画面Ｓ３には、コピージョブキーＫ５、送信ジョブキーＫ６、プリントジョブキーＫ７、ボックス印刷ジョブキーＫ８が配される。使用者は、自動強調モードを適用したいジョブに対応するキーを操作する。制御部１は、選択状態のキー（ジョブ）を白黒反転状態で表示させる。白黒反転状態のキーをタッチすることで選択状態を解除でき、ジョブの選択状態も解除される。図７は、コピージョブキーＫ５が操作され、自動強調モードをコピージョブで適用する設定がなされている状態を示す。
【００５２】
また、強調処理設定画面Ｓ３には、第１チェックボックスＣ１、第２チェックボックスＣ２、第３チェックボックスＣ３、第４チェックボックスＣ４、第５チェックボックスＣ５、第６チェックボックスＣ６が設けられる。各チェックボックスは、強調処理の内容を定めるためのものである。
【００５３】
次に、図８を用いて自動強調モードでのジョブの処理の流れの一例を説明する。図８のスタートは、自動強調モードを適用するジョブの実行を開始する時点である。
【００５４】
まず、制御部１は、入力されたジョブ用データＤ１に基づき、１ページ目の画像データ（ページ画像データＰ）を用意する（ステップ♯２１）。そして、制御部１は、用意したページ画像データＰの余白領域６（ヘッダー領域６ｈ又はフッター領域６ｆ）に、登録余白画像８が含まれるか否かを判定する（ステップ♯２２）。制御部１は、記憶部２に記憶された各登録余白画像８のうち、ヘッダー強調用データ２１ｈに含まれる登録ヘッダー画像８ｈとページ画像データＰのヘッダー領域６ｈとのマッチングを行い、フッター強調用データ２１ｆに含まれる登録フッター画像８ｆとページ画像データＰのフッター領域６ｆとのマッチングを行う。
【００５５】
具体的に、制御部１は、登録ヘッダー画像８ｈ（登録余白画像８）とページ画像データＰのヘッダー領域６ｈ（ヘッダー画像７ｈ）を比較し、類似度が類似基準値以上のとき、ページに登録ヘッダー画像８ｈが含まれると判定する。ヘッダー強調用データ２１ｈが複数記憶されているとき、制御部１は、それぞれの登録ヘッダー画像８ｈとの比較を行う。制御部１は、登録フッター画像８ｆ（登録余白画像８）とページ画像データＰのフッター領域６ｆ（フッター画像７ｆ）を比較し、類似度が類似基準値以上のとき、ページに登録フッター画像８ｆが含まれると判定する。フッター強調用データ２１ｆが複数記憶されているとき、制御部１は、それぞれの登録フッター画像８ｆとの比較を行う。
【００５６】
更に、ＯＣＲ処理に基づき、ページ画像データＰに登録余白画像８が含まれているか否かの判定を行ってもよい。制御部１は、登録ヘッダー画像８ｈとページ画像データＰのヘッダー画像７ｈのそれぞれにＯＣＲ処理を行ってテキストを取得し、取得されたテキストの一致度が一致基準値以上のとき、ページに登録ヘッダー画像８ｈが含まれると判定する。ヘッダー強調用データ２１ｈが複数記憶されているとき、制御部１は、それぞれの登録ヘッダー画像８ｈのテキストを取得する。制御部１は、登録フッター画像８ｆ（登録余白画像８）とページ画像データＰのフッター画像７ｆのそれぞれにＯＣＲ処理を行ってテキストを取得し、取得されたテキストの一致度が一致基準値以上のとき、ページに登録フッター画像８ｆが含まれると判定する。登録フッター画像８ｆが複数記憶されているとき、制御部１は、それぞれの登録フッター画像８ｆのテキストを取得する。
【００５７】
登録余白画像８が含まれるとき（ステップ♯２２のＹｅｓ）、制御部１は、強調に用いる色（以下、強調色）を決める（ステップ♯２３）。なお、制御部１は、これからジョブを行うジョブ用データＤ１に基づくそれぞれのページ画像データＰに対し、同じ強調色で強調処理を施す。そのため、そのジョブで既に強調色が決まっているとき（ループによりステップ♯２３に戻ってきたとき）、ステップ♯２３はスキップされる。
【００５８】
画像処理装置１０（複合機１００）では、複数の強調色が予め定められる。ジョブ単位で強調色が所定の順番で切り替えられる。これにより、ジョブ単位で強調色を切り替えることができる。しかし、使用できる色には限りがあるので、同じ登録余白画像８を含む異なるジョブで用いられる強調色が同じとなる場合がある。
【００５９】
そこで、自動強調モードでのジョブが実行され、強調処理が行われたとき、制御部１は、ジョブのページの画像に含まれた登録余白画像８を示すデータと強調処理に用いた色の組み合わせを履歴データＤ２として記憶部２に記憶させる（後述のステップ♯２１８参照）。そして、制御部１は、これから行うジョブのページ画像データＰに、ページ画像データＰに含まれると以前に判定された利用済みである登録余白画像８が含まれるか否かを確認し、利用済である登録余白画像８が含まれているとき、少なくとも直前の利用済である登録余白画像８を含むジョブの強調色と今回の強調色を異ならせる。なお、強調色は、全てのジョブで同じ色としてもよい。例えば、赤色や黒色を強調色として固定して用いてもよい。この場合、ステップ♯２３はスキップすればよい。
【００６０】
強調色を決めた後、制御部１は、対応領域Ｆ２に下線を付すべきか否かを確認する（ステップ♯２４）。言い換えると、強調処理設定画面Ｓ３の第１チェックボックスＣ１にチェックが入れられているか否かを確認する。対応領域Ｆ２に下線を付す強調処理が選択されているとき（ステップ♯２４のＹｅｓ）、制御部１は、ページ画像データＰのうち、含まれる登録余白画像８の強調領域Ｆ１と位置が同じ領域に強調色の下線を付す強調処理を行う（ステップ♯２５）。以下、ページ画像データＰのうち、含まれる登録余白画像８の強調領域Ｆ１と位置が同じ領域を、対応領域Ｆ２と称する。
【００６１】
具体的に、ページ画像データＰに登録ヘッダー画像８ｈが含まれているとき、制御部１は、ページ画像データＰのヘッダー領域６ｈのうち、対応領域Ｆ２に下線を付す。ページ画像データＰに登録フッター画像８ｆが含まれているとき、制御部１は、ページ画像データＰのフッター領域６ｆのうち、対応領域Ｆ２に下線を付す。その結果、強調したい情報に下線が付される。
【００６２】
ステップ♯２４のＮｏの場合、又は、ステップ♯２５の後、制御部１は、対応領域Ｆ２を線で囲うべきか否かを確認する（ステップ♯２６）。言い換えると、強調処理設定画面Ｓ３の第２チェックボックスＣ２にチェックが入れられているか否かを確認する。
【００６３】
対応領域Ｆ２を線で囲う強調処理が選択されているとき（ステップ♯２６のＹｅｓ）、制御部１は、ページ画像データＰのうち、対応領域Ｆ２を強調色の線で囲う強調処理を施す（ステップ♯２７）。なお、下線と囲い線は重なってもよい。具体的に、ページ画像データＰに登録ヘッダー画像８ｈが含まれているとき、制御部１は、ページ画像データＰのヘッダー領域６ｈのうち、対応領域Ｆ２を線で囲う。ページ画像データＰに登録フッター画像８ｆが含まれているとき、制御部１は、ページ画像データＰのフッター領域６ｆのうち、対応領域Ｆ２を線で囲う。その結果、強調したい情報が線で囲われる。
【００６４】
ステップ♯２６のＮｏの場合、又は、ステップ♯２７の後、続いて、制御部１は、対応領域Ｆ２に含まれる記号（文字、数字、マーク）の色を変えるべきか否かを確認する（ステップ♯２８）。言い換えると、強調処理設定画面Ｓ３の第３チェックボックスＣ３にチェックが入れられているか否かを確認する。対応領域Ｆ２に含まれる記号（文字、数字、マーク）の色を変える強調処理が選択されているとき（ステップ♯２８のＹｅｓ）、制御部１は、ページ画像データＰのうち、対応領域Ｆ２に含まれる記号の色を強調色に変える強調処理を施す（ステップ♯２９）。
【００６５】
具体的に、ページ画像データＰに登録ヘッダー画像８ｈが含まれているとき、制御部１は、ページ画像データＰのヘッダー領域６ｈのうち、対応領域Ｆ２に含まれる一定以上暗い画素（記号部分のような下地以外の部分の画素）の画素値を強調色の画素値に変更する。ページ画像データＰに登録フッター画像８ｆが含まれているとき、制御部１は、ページ画像データＰのフッター領域６ｆのうち、対応領域Ｆ２に含まれる一定以上暗い画素の画素値（下地よりも一定以上濃い画素値の画素）を強調色の画素値に変更する。その結果、強調したい情報が赤や青のような色に変換される。
【００６６】
ステップ♯２８のＮｏの場合、又は、ステップ♯２９の後、制御部１は、対応領域Ｆ２に対向する領域に情報を入れるべきか否かを確認する（ステップ♯２１０）。言い換えると、強調処理設定画面Ｓ３の第４チェックボックスＣ４にチェックが入れられているか否かを確認する。
【００６７】
対応領域Ｆ２と対向する領域に情報を入れる選択がなされているとき（ステップ♯２１０のＹｅｓ）、制御部１は、ページ画像データＰのうち、ヘッダー領域６ｈの対応領域Ｆ２の画像をフッター領域６ｆに、又は、フッター領域６ｆの対応領域Ｆ２の画像をヘッダー領域６ｈに入れる強調処理を施す（ステップ♯２１１）。
【００６８】
具体的に、ページ画像データＰに登録ヘッダー画像８ｈが含まれているとき、制御部１は、ページ画像データＰのヘッダー領域６ｈのうち、対応領域Ｆ２の画像をコピーし、フッター領域６ｆ（ヘッダー領域６ｈに対向する領域）にコピーした画像を含める。ページ画像データＰに登録フッター画像８ｆが含まれているとき、制御部１は、ページ画像データＰのフッター領域６ｆのうち、対応領域Ｆ２の画像をコピーし、ヘッダー領域６ｈ（ヘッダー領域６ｈに対向する領域）にコピーした画像を含める。その結果、強調したい情報がヘッダー領域６ｈやフッター領域６ｆに自動的に追加される。
【００６９】
図１０は、ページ画像データＰに登録ヘッダー画像８ｈが含まれると判定された場合の例を示す。図１０は、ページ画像データＰのヘッダー領域６ｈのうち、ヘッダー強調用データ２１ｈで定められた強調領域Ｆ１と位置が同じ領域（対応領域Ｆ２）の画像に下線を付す強調処理を行う例を示す。図１０では、「ＫＭ１１１１マニュアル」の記号列を含む対応領域Ｆ２と「２０１６／ＸＸ／ＹＹ」の記号列を含む対応領域Ｆ２の画像に下線を付す例を示している。
【００７０】
更に、図１０は、制御部１がページ画像データＰのヘッダー領域６ｈのうち、対応領域Ｆ２（「ＫＭ１１１１マニュアル」の記号列を含む領域と「２０１６／ＸＸ／ＹＹ」の記号列を含む領域）の画像をコピーし、コピーした画像が重ならないようにフッター領域６ｆ（ヘッダー領域６ｈに対向する領域）にコピーした画像を貼り付けた例を示す。
【００７１】
ステップ♯２１０のＮｏの場合、又は、ステップ♯２１１の後、制御部１は、対応領域Ｆ２を拡大すべきか否かを確認する（ステップ♯２１２）。言い換えると、強調処理設定画面Ｓ３の第５チェックボックスＣ５にチェックが入れられているか否かを確認する。対応領域Ｆ２を拡大する選択がなされているとき（ステップ♯２１２のＹｅｓ）、制御部１は、対応領域Ｆ２を拡大する強調処理を施す（ステップ♯２１３）。
【００７２】
具体的に、ページ画像データＰに登録ヘッダー画像８ｈが含まれているとき、制御部１は、ページ画像データＰのヘッダー領域６ｈのうち、対応領域Ｆ２以外の画像を消去する（下地色に変換する）。また、ページ画像データＰに登録フッター画像８ｆが含まれているとき、制御部１は、ページ画像データＰのフッター領域６ｆのうち、対応領域Ｆ２以外の画像を消去する（下地色に変換する）。下地色は適宜定めればよい。例えば、制御部１は、ページ画像データＰのヘッダー領域６ｈやフッター領域６ｆの各画素の画素値を確認し、頻度が最大の画素値を下地色と定める。
【００７３】
さらに、ページ画像データＰに登録ヘッダー画像８ｈが含まれているとき、制御部１は、ページ画像データＰのヘッダー領域６ｈのうち、対応領域Ｆ２の画像を拡大する。また、ページ画像データＰに登録フッター画像８ｆが含まれているとき、制御部１は、ページ画像データＰのフッター領域６ｆのうち、対応領域Ｆ２の画像を拡大する。制御部１は、対応領域Ｆ２がヘッダー領域６ｈやフッター領域６ｆからはみ出ないように拡大する。
【００７４】
図１１は、ページ画像データＰに登録ヘッダー画像８ｈが含まれると判定された場合の例を示す。図１１では、ページ画像データＰのヘッダー領域６ｈのうち、対応領域Ｆ２の画像に強調色の囲線を付す強調処理を行う例を示す。更に、図１１は、制御部１がページ画像データＰのヘッダー領域６ｈのうち、対応領域Ｆ２（「ＫＭ１１１１マニュアル」の記号列を含む領域と「２０１６／ＸＸ／ＹＹ」の記号列を含む領域）の画像以外を削除し、対応領域Ｆ２がヘッダー領域６ｈからはみ出ないように拡大した例を示す。図１１では、拡大した各対応領域Ｆ２を上下方向で重ね、左に詰めた場合の一例を示している。
【００７５】
そして、制御部１は、現在処理しているページがジョブの最後のページであるか否かを確認する（ステップ♯２１４）。最後のページでないとき（ステップ♯２１４のＮｏ）、制御部１は、入力されたジョブ用データＤ１に基づき、次のページ画像データＰを用意する（ステップ♯２１５）。そして、フローは、ステップ♯２２に戻る。
【００７６】
最後のページのとき（ステップ♯２１４のＹｅｓ）、制御部１は最後のページに対応領域Ｆ２を入れるべきか否かを確認する（ステップ♯２１６）。言い換えると、強調処理設定画面Ｓ３の第６チェックボックスＣ６にチェックが入れられているか否かを確認する。
【００７７】
最後のページに対応領域Ｆ２を入れる選択がなされているとき（ステップ♯２１６のＹｅｓ）、制御部１は、最後のページ画像データＰに対応領域Ｆ２を入れる強調処理を施す（ステップ♯２１７）。
【００７８】
具体的に、何れかのページ画像データＰに登録ヘッダー画像８ｈが含まれているとき、制御部１は、そのページの対応領域Ｆ２の画像を抽出する。また、何れかのページ画像データＰに登録フッター画像８ｆが含まれているとき、制御部１は、そのページの対応領域Ｆ２の画像を抽出する。そして、制御部１は、最後のページのうち、ヘッダー領域６ｈとフッター領域６ｆ以外の領域（本文が記載される領域）に含まれる一定以上の広さの空白領域Ｆ３に抽出した画像を貼り付ける。
【００７９】
制御部１は、最後のページ画像データＰにおいて、ヘッダー領域６ｈとフッター領域６ｆ以外の領域のうち、一定以上の広さを有し、一定以上濃い画素値の画素の個数が閾値よりも少ない空白領域Ｆ３を探す。一定以上の広さの空白領域Ｆ３がないとき、制御部１は、本文には上書きせず、抽出した画像を貼り付けない。一定以上の広さの空白領域Ｆ３があるときのみ、制御部１は、抽出した画像を貼り付ける。
【００８０】
図１２は、ページ画像データＰに登録ヘッダー画像８ｈが含まれると判定された場合の例を示す。図１２では、ページ画像データＰのヘッダー領域６ｈのうち、対応領域Ｆ２の画像のうち文字、数字、記号が強調色に変更されている。更に、図１２は、制御部１がページ画像データＰのヘッダー領域６ｈのうち、対応領域Ｆ２（「ＫＭ１１１１マニュアル」の記号列を含む領域と「２０１６／ＸＸ／ＹＹ」の記号列を含む領域）の画像を抽出し、最後のページ画像データＰの空白領域Ｆ３に貼り付けた例を示す。
【００８１】
そして、ジョブにおいて強調処理を行ったとき、制御部１は、ジョブのページの画像に含まれた登録余白画像８を示すデータと強調処理に用いた色の組み合わせを履歴データＤ２として記憶部２に記憶させる（ステップ♯２１８）。制御部１は、強調処理後の画像データに基づきジョブを実行する（ステップ♯２１９）。コピージョブ、プリントジョブ、ボックス印刷ジョブのとき、制御部１は、強調処理後の画像データに基づき印刷部５に印刷ジョブを行わせる。送信ジョブのとき、制御部１は、設定されているアドレスに向け、強調処理後の画像データを通信部１３に送信させる。
【００８２】
このようにして、実施形態に係る画像処理装置１０は、データ入力部（画像読取部３ｂ、通信部１３）、操作パネル４、記憶部２、制御部１を含む。データ入力部は、ジョブに用いるジョブ用データＤ１の入力を受ける。操作パネル４は、ページのうち、書類内の予め定められた余白領域６に配する余白画像７の登録と、余白画像７内における強調領域Ｆ１の設定を受け付ける。記憶部２は、登録された余白画像７である登録余白画像８と登録余白画像８における強調領域Ｆ１の位置を示す位置データ２２を含む強調用データ２１を記憶する。制御部１は、ジョブ用データＤ１に基づくページの画像データであるページ画像データＰに登録余白画像８が含まれるか否かを判定し、ページ画像データＰに登録余白画像８が含まれると判定したとき、ページ画像データＰのうち、記憶された強調用データ２１に含まれる登録余白画像８における強調領域Ｆ１の位置と、ページ画像データＰに含まれる登録余白画像８において同じ位置にある対応領域Ｆ２の画像に強調処理を施す。
【００８３】
これにより、余白画像７とその余白画像７内における強調領域Ｆ１を登録しておくだけで、登録余白画像８と同様の余白画像７を含むページのうち、強調領域Ｆ１と同様の情報を含む領域に自動的に強調処理を行う画像処理装置１０を提供することができる。従って、書類名、書類のバージョンのような重要情報の部分を目立たせることができ、どのような書類であるかわかりやすくなる。また、書類の元データに対する編集が不要である。例えば、同じ余白画像７のファイル（データ）が複数あっても、それぞれのファイルで強調に関する編集をしなくてすむ。
【００８４】
また、余白画像７は、ヘッダー画像７ｈ又はフッター画像７ｆである。記憶部２は、登録余白画像８として登録されたヘッダー画像７ｈである登録ヘッダー画像８ｈと位置データ２２を含むヘッダー強調用データ２１ｈを強調用データ２１として記憶し、登録余白画像８として登録されたフッター画像７ｆである登録ヘッダー画像８ｈと位置データ２２を含むフッター強調用データ２１ｆを強調用データ２１として記憶する。これにより、登録されたヘッダー画像７ｈやフッター画像７ｆと同様のヘッダー画像７ｈやフッター画像７ｆを含むジョブにおいて、強調領域Ｆ１と同様の情報を含む領域（対応領域Ｆ２）を強調することができる。
【００８５】
また、制御部１は、ページ画像データＰに登録ヘッダー画像８ｈが含まれているとき、ページ画像データＰのフッター領域６ｆに対応領域Ｆ２の画像を入れ、ページ画像データＰに登録フッター画像８ｆが含まれているとき、ページ画像データＰのヘッダー領域６ｈに対応領域Ｆ２の画像を入れる。これにより、ヘッダー領域６ｈの対応領域Ｆ２がフッター領域６ｆに、フッター領域６ｆの対応領域Ｆ２がヘッダー領域６ｈに書き込まれるので、重要情報がヘッダー領域６ｈとフッター領域６ｆの両方に描かれる。従って、強調領域Ｆ１（対応領域Ｆ２）に含まれる情報をより強調することができる。
【００８６】
また、制御部１は、ページ画像データＰに登録ヘッダー画像８ｈが含まれているとき、ページ画像データＰのヘッダー領域６ｈのうち、対応領域Ｆ２以外の部分を消すとともに対応領域Ｆ２を拡大した画像をヘッダー領域６ｈに配し、ページ画像データＰに登録フッター画像８ｆが含まれているとき、ページ画像データＰのフッター領域６ｆのうち、対応領域Ｆ２以外の部分を消すとともに対応領域Ｆ２を拡大した画像をフッター領域６ｆに配する。これにより、ページ画像データＰ内の対応領域Ｆ２が拡大され、書類名やバージョン情報のような対応領域Ｆ２（強調領域Ｆ１）に含まれる情報のみを強調することができる。従って、対応領域Ｆ２に含まれる重要情報を容易に把握することができる。
【００８７】
また、制御部１は、ジョブの最後のページのページ画像データＰ内であって余白領域６以外の領域内の空白領域Ｆ３にジョブに含まれる何れかのページの対応領域Ｆ２の画像を入れる。これにより、強調領域Ｆ１（対応領域Ｆ２）に含まれ、閲覧者に注意して欲しい情報を最後のページに配することができる。従って、最後のページに、閲覧者に注意して欲しい情報をまとめることができる。
【００８８】
また、制御部１は、下線、囲線、対応領域Ｆ２に含まれる記号の色を変えることの何れか１つ又は複数を強調処理として行う。対応領域Ｆ２を目立たせることができる。
【００８９】
また、制御部１は、これから行うジョブのそれぞれのページ画像データＰに同じ色で強調処理を施すとともに、これから行うジョブのページ画像データＰに含まれると判定された登録余白画像８が、以前に実行されたジョブのページ画像データＰに含まれると判定された利用済である登録余白画像８であるか否かを確認し、利用済である登録余白画像８のとき、少なくとも直前の利用済である登録余白画像８を含むジョブとこれから行う前記ジョブで強調に用いる色を異ならせる。これにより、同じ登録余白画像８が配された書類の各ジョブで強調処理に用いられる色を異ならせることができる。例えば、同様のヘッダーやフッダーが付された書類のそれぞれの印刷物で、対応領域Ｆ２（強調領域Ｆ１と同じ位置の領域）に付す色を異ならせることができる。そのため、様々な書類が混ざった用紙束を、強調に使用された色を基準に容易に仕分けることができる。
【００９０】
また、複合機１００（画像形成装置）は、上述の画像処理装置１０と、強調処理後の画像データに基づき印刷ジョブを行う印刷部５を含む。余白画像７とその余白画像７内における強調領域Ｆ１を登録しておくだけで、同様のヘッダー画像７ｈやフッター画像７ｆを有する書類のうち、強調領域Ｆ１と同様の情報を含む領域（対応領域Ｆ２）を自動的に強調処理して印刷する画像形成装置を提供することができる。対応領域Ｆ２が目立ち、どのような書類であるかわかりやすい画像形成装置を提供することができる。
【００９１】
以上、本発明の実施形態について説明したが、本発明の範囲はこれに限定されるものではなく、発明の主旨を逸脱しない範囲で種々の変更を加えて実施することができる。
【産業上の利用可能性】
【００９２】
本発明は、画像データを処理する画像処理装置に利用可能である。
【符号の説明】
【００９３】
１００  複合機（画像形成装置）      １０    画像処理装置
１      制御部                      １３    通信部（データ入力部）
２      記憶部                      ２１    強調用データ
２１ｈ  ヘッダー強調用データ        ２１ｆ  フッター強調用データ
２２    位置データ                  ３ｂ    画像読取部（データ入力部）
４      操作パネル                  ５      印刷部
６      余白領域                    ６ｆ    フッター領域
６ｈ    ヘッダー領域                ７      余白画像
７ｈ    ヘッダー画像                ７ｆ    フッター画像
８      登録余白画像                ８ｈ    登録ヘッダー画像
８ｆ    登録フッター画像            Ｆ１    強調領域
Ｆ２    対応領域                    Ｆ３    空白領域
Ｐ      ページ画像データ
【図１】
2018016007.tif 000003
【図２】
2018016007.tif 000004
【図３】
2018016007.tif 000005
【図４】
2018016007.tif 000006
【図５】
2018016007.tif 000007
【図６】
2018016007.tif 000008
【図７】
2018016007.tif 000009
【図８】
2018016007.tif 000010
【図９】
2018016007.tif 000011
【図１０】
2018016007.tif 000012
【図１１】
2018016007.tif 000013
【図１２】
2018016007.tif 000014